(57)【要約】【課題】画像品位を向上させることができるようにする。【解決手段】画像を形成する画像形成部と、記録媒体を搬送する搬送部材と、該搬送部材上の記録媒体の幅方向における領域外に濃度検出画像を形成する濃度検出画像形成処理手段と、前記濃度検出画像の濃度に基づいて濃度補正を行う濃度補正処理手段とを有する。この場合、搬送部材上の記録媒体の幅方向における領域外に濃度検出画像が形成され、該濃度検出画像の濃度に基づいて濃度補正が行われるので、記録媒体として連続紙を使用する場合でも、十分に濃度補正を行うことができる。したがって、画像品位を向上させることができる。【選択図】図１
2006227336.tif 000002
【特許請求の範囲】
【請求項１】
（ａ）画像を形成する画像形成部と、
（ｂ）記録媒体を搬送する搬送部材と、
（ｃ）該搬送部材上の記録媒体の幅方向における領域外に濃度検出画像を形成する濃度検出画像形成処理手段と、
（ｄ）前記濃度検出画像の濃度に基づいて濃度補正を行う濃度補正処理手段とを有することを特徴とする画像形成装置。
【請求項２】
前記濃度検出画像の濃度を検出する画像濃度検出部を有する請求項１に記載の画像形成装置。
【請求項３】
（ａ）画像の形成が開始されてからの前記画像形成部の回転数を計数する計数装置と、
（ｂ）計数された回転数が設定値を超えたかどうかを判断する回転数判定処理手段とを有するとともに、
（ｃ）前記濃度検出画像形成処理手段は、計数された回転数が設定値を超えるたびに前記濃度検出画像を形成する請求項１に記載の画像形成装置。
【請求項４】
（ａ）前記濃度検出画像の濃度を検出する画像濃度検出部と
（ｂ）前記画像形成部が寿命であるかどうかを判断する寿命判定処理手段と、
（ｃ）前記濃度補正処理手段による濃度補正が行われ、かつ、前記寿命判定処理手段によって前記画像形成部が寿命であると判断されたときに、前記濃度検出画像の濃度と基準値との差が顕著である場合、印刷を停止する印刷停止処理手段とを有する請求項１又は３に記載の画像形成装置。
【請求項５】
前記濃度検出画像形成処理手段は、搬送部材上の両方の縁部に濃度検出画像を形成する請求項１に記載の画像形成装置。
【請求項６】
前記濃度検出画像に対応させて配設された複数の画像濃度検出部を有する請求項５に記載の画像形成装置。
【請求項７】
前記各画像濃度検出部によって検出された濃度を平均化する平均化処理部を有する請求項６に記載の画像形成装置。
【発明の詳細な説明】
【技術分野】
【０００１】
本発明は、画像形成装置に関するものである。
【背景技術】
【０００２】
従来、電子写真式のプリンタ、複写機、ファクシミリ装置等の画像形成装置、例えば、カラーのプリンタにおいては、複数の画像形成部が並べて配設され、各画像形成部において、ブラック、イエロー、マゼンタ及びシアンの各色のトナー像が形成されるようになっている。そして、前記各色のトナー像は搬送ベルトによって搬送される記録媒体上に順次重ねて転写され、カラーのトナー像が形成され、続いて、カラーのトナー像は定着装置に送られ、該定着装置において記録媒体に定着させられ、カラー画像になる。
【０００３】
このように、記録媒体上に各色のトナー像を重ねて転写し、カラーのトナー像を形成するようにしたカラーのプリンタにおいては、各色のトナー像の濃度が理想濃度値でないと、カラー画像に色味の違い等が現われ、画像品位が低下してしまう。
【０００４】
そこで、前記搬送ベルトの幅方向における中央付近に反射型光センサを配設するとともに、前記搬送ベルト上に濃度検出用の各色のトナー像、すなわち、濃度検出画像を形成し、前記反射型光センサによって、各色の濃度検出画像の濃度を検出し、検出された濃度に基づいて、各色のトナー像の濃度が理想濃度値に近づくように各色のトナー像の層厚を制御して濃度補正を行うようにしている。
【０００５】
該濃度補正は、例えば、経時変化による濃度への影響を考慮して所定の枚数の印刷が行われるごとに行われる（例えば、特許文献１参照。）。
【特許文献１】特開平２００４−１１００１８号公報
【発明の開示】
【発明が解決しようとする課題】
【０００６】
しかしながら、前記従来の画像形成装置においては、連続紙、ロール紙等の記録媒体に対して印刷を行う場合、記録媒体の切れ目がないので、記録媒体の極めて長い距離にわたって印刷が行われることになり、カット紙等の記録媒体に対して印刷を行う場合と比べて、濃度補正を行う回数が少なくなってしまう。したがって、画像品位を向上させることができない。
【０００７】
本発明は、前記従来の画像形成装置の問題点を解決して、画像品位を向上させることができる画像形成装置を提供することを目的とする。
【課題を解決するための手段】
【０００８】
そのために、本発明の画像形成装置においては、画像を形成する画像形成部と、記録媒体を搬送する搬送部材と、該搬送部材上の記録媒体の幅方向における領域外に濃度検出画像を形成する濃度検出画像形成処理手段と、前記濃度検出画像の濃度に基づいて濃度補正を行う濃度補正処理手段とを有する。
【発明の効果】
【０００９】
本発明によれば、画像形成装置においては、画像を形成する画像形成部と、記録媒体を搬送する搬送部材と、該搬送部材上の記録媒体の幅方向における領域外に濃度検出画像を形成する濃度検出画像形成処理手段と、前記濃度検出画像の濃度に基づいて濃度補正を行う濃度補正処理手段とを有する。
【００１０】
この場合、搬送部材上の記録媒体の幅方向における領域外に濃度検出画像が形成され、該濃度検出画像の濃度に基づいて濃度補正が行われるので、記録媒体として連続紙を使用する場合でも、十分に濃度補正を行うことができる。したがって、画像品位を向上させることができる。
【発明を実施するための最良の形態】
【００１１】
以下、本発明の実施の形態について図面を参照しながら詳細に説明する。この場合、画像形成装置として、カラーのプリンタについて説明する。
【００１２】
図２は本発明の第１の実施の形態におけるプリンタの概略図である。
【００１３】
図において、１０はプリンタであり、該プリンタ１０の装置本体内には、給紙部１１、搬送ベルト機構２０、該搬送ベルト機構２０に沿って配設され、各色の画像を形成するブラック、イエロー、マゼンタ及びシアンの画像形成部３０Ｂｋ、３０Ｙ、３０Ｍ、３０Ｃ、定着装置４０、画像濃度検出部５０、制御部７０、プリンタ１０の各部の制御を行う図示されない制御部、駆動部としての図示されないモータ、該モータによって駆動され、各部に回転を伝達する駆動機構部等が配設される。
【００１４】
前記給紙部１１は、媒体収容部としての給紙カセット１２、図示されない給紙ローラ、分離部材、レジストローラ対等から成り、前記給紙カセット１２に記録媒体１３がセットされる。前記搬送機構部２０は、各色の転写部を構成する転写ローラ３５Ｂｋ、３５Ｙ、３５Ｍ、３５Ｃ、駆動ローラ２２、従動ローラ２３、並びに前記駆動ローラ２２及び従動ローラ２３に張設された搬送部材としての搬送ベルト２１を備え、前記駆動ローラ２２は制御部７０が前記モータを駆動することによって回転させられ、搬送ベルト２１を走行させる。
【００１５】
また、前記各画像形成部３０Ｂｋ、３０Ｙ、３０Ｍ、３０Ｃは、画像形成ユニットを構成し、それぞれ、像担持体としての感光体ドラム３１Ｂｋ、３１Ｙ、３１Ｍ、３１Ｃ、帯電装置としての帯電ローラ３２Ｂｋ、３２Ｙ、３２Ｍ、３２Ｃ、現像器３４Ｂｋ、３４Ｙ、３４Ｍ、３４Ｃ、クリーニング装置３６Ｂｋ、３６Ｙ、３６Ｍ、３６Ｃ、図示されない除電部等を備え、各画像形成部３０Ｂｋ、３０Ｙ、３０Ｍ、３０Ｃと対向させて露光装置３３Ｂｋ、３３Ｙ、３３Ｍ、３３Ｃが配設される。
【００１６】
そして、前記定着装置４０は、定着ローラ４１、及び該定着ローラ４１に所定の押圧力で押圧される加圧ローラ４２を備え、前記定着ローラ４１は、内部に配設された加熱装置としての図示されない加熱ヒータによって所定の温度に加熱される。
【００１７】
また、前記画像濃度検出部５０は、シャッタ機構５１及び画像濃度検出センサとしての反射型光センサ５２を備える。前記シャッタ機構５１は、図示されないモータ、電磁弁等によって開閉させられる構造を有し、濃度の検出及び濃度補正が行われるときだけ開かれ、通常は閉じられて前記反射型光センサ５２に飛散したトナー等が付着するのを防止する。そして、搬送ベルト２１の走行方向における画像濃度検出部５０より下流側に、クリーニングブレード２６、回収容器２７等から成るベルトクリーニング装置が配設される。
【００１８】
前記構成のプリンタ１０の動作について説明する。
【００１９】
まず、給紙部１１は、給紙カセット１２にセットされた記録媒体１３を、給紙ローラによってレジストローラ対に送り、該レジストローラ対は記録媒体１３を所定のタイミングで搬送ベルト機構部２０に送り出す。なお、本実施の形態において、前記記録媒体１３は連続紙であり、数百フィートにわたって印刷可能である。また、給紙部１１が装置本体外に配設されるプリンタでも同様の動作が行われる。
【００２０】
また、前記各画像形成部３０Ｂｋ、３０Ｙ、３０Ｍ、３０Ｃにおいて、前記感光体ドラム３１Ｂｋ、３１Ｙ、３１Ｍ、３１Ｃの表面は、帯電装置３２Ｂｋ、３２Ｙ、３２Ｍ、３２Ｃによって一様に、かつ、均一に帯電させられ、露光装置３３Ｂｋ、３３Ｙ、３３Ｍ、３３Ｃによって画像データに基づいて変調されたＬＥＤ光が照射され、感光体ドラム３１Ｂｋ、３１Ｙ、３１Ｍ、３１Ｃ上に静電潜像が形成される。そして、該静電潜像が形成された感光体ドラム３１Ｂｋ、３１Ｙ、３１Ｍ、３１Ｃに、現像器３４Ｂｋ、３４Ｙ、３４Ｍ、３４Ｃによってブラック、イエロー、マゼンタ及びシアンの各色の現像剤としてのトナーが付着させられ、各色の現像剤像としてのトナー像が形成される。
【００２１】
そして、前記搬送ベルト機構部２０に送られた記録媒体１３が、搬送ベルト２１によって前記各画像形成部３０Ｂｋ、３０Ｙ、３０Ｍ、３０Ｃに順次送られると、前記転写ローラ３５Ｂｋ、３５Ｙ、３５Ｍ、３５Ｃに転写電圧が付与され、前記各色のトナー像が記録媒体１３に順に重ねて転写され、カラーのトナー像が形成される。なお、前記転写ローラ３５Ｂｋ、３５Ｙ、３５Ｍ、３５Ｃは搬送ベルト２１を挟んで、前記感光体ドラム３１Ｂｋ、３１Ｙ、３１Ｍ、３１Ｃと対向させて、搬送ベルト２１の背面側に配設される。
【００２２】
次に、カラーのトナー像が形成された記録媒体１３は、静電的に搬送ベルト２１に付着した状態で更に搬送された後、搬送ベルト２１から分離させられて定着装置４０に送られる。そして、該定着装置４０において、前記定着ローラ４１及び加圧ローラ４２によって加熱及び加圧され、前記カラーのトナー像が記録媒体１３に定着させられ、カラー画像になる。その後、記録媒体１３は図示されない排出ローラ対によって図示されない排出トレイに排出される。
【００２３】
また、転写後、前記感光体ドラム３１Ｂｋ、３１Ｙ、３１Ｍ、３１Ｃ上に残留したトナーは、クリーニング装置３６Ｂｋ、３６Ｙ、３６Ｍ、３６Ｃによって除去され、前記各除電部において除電された後、再び帯電ローラ３２Ｂｋ、３２Ｙ、３２Ｍ、３２Ｃによって帯電させられる。
【００２４】
ところで、このように、記録媒体１３上に各色のトナー像を重ねて転写し、カラーのトナー像を形成するようにしたプリンタ１０においては、各色のトナー像の濃度が理想濃度値でないと、カラー画像に色味の違い等が現われ、画像品位が低下してしまう。
【００２５】
そこで、本実施の形態においては、搬送ベルト２１に濃度検出画像を形成し、前記反射型光センサ５２によって、各色の濃度検出画像の濃度を検出し、検出された濃度に基づいて、各色のトナー像の濃度が理想濃度値に近づくように各色のトナー像の層厚を制御して濃度補正を行うようにしている。
【００２６】
図１は本発明の第１の実施の形態における濃度検出画像と記録媒体との関係を示す図、図３は本発明の第１の実施の形態における反射型光センサの配設位置を示す図、図４は本発明の第１の実施の形態における画像濃度検出部及び制御部のブロック図である。
【００２７】
図において、１３は記録媒体、２１は図１及び３の矢印方向に走行させられる搬送ベルトである。図３に示されるように、画像濃度検出部は、搬送ベルト２１上の記録媒体１３の幅方向における領域外、本実施の形態においては、搬送ベルト２１の一方の縁部の下方の所定の箇所に配設され、反射型光センサ５２を備える。該反射型光センサ５２は、搬送ベルト２１を介して画像形成部３０Ｂｋ、３０Ｙ、３０Ｍ、３０Ｃ側に向けて配設される。前記反射型光センサ５２は発光部及び受光部から成り、例えば、前記発光部として発光ダイオード等が、受光部としてフォトダイオード等が使用される。そして、反射型光センサ５２は発光部及び受光部を上向きにして配設される。
【００２８】
６０〜６２は濃度検出画像であり、該各濃度検出画像６０〜６２は、それぞれ、所定の形状、例えば、正方形の形状を有し、搬送ベルト２１上の記録媒体１３の幅方向における領域外、本実施の形態においては、搬送ベルト２１上の一方の縁部において長さ方向に所定のピッチで形成される。また、前記各濃度検出画像６０〜６２は、ブラック、イエロー、マゼンタ及びシアンの順で隣接させて形成された画像部から成り、各色の画像部とも、濃度検出画像６０は３０〔％〕のデューティで、濃度検出画像６１は５０〔％〕のデューティで、濃度検出画像６２は７０〔％〕のデューティで形成される。なお、デューティとは、印刷される領域の面積に対する印刷部分の割合である。
【００２９】
そして、前記反射型光センサ５２は、発光部によって前記搬送ベルト２１の一方の縁部に向けて光を照射し、前記濃度検出画像６０〜６２によって反射された光を受光部で受光することによって各濃度検出画像６０〜６２の濃度を検出する。そして、反射型光センサ５２は、受光した光の光量を検出信号とし、該検出信号を前記制御部７０に送る。なお、前記反射型光センサ５２による検出動作が終了すると、クリーニングブレード２６は濃度検出画像６０〜６２を掻き取り、掻き取られたトナーは回収容器２７に回収される。
【００３０】
前記制御部７０は、上位装置としての図示されないホストコンピュータと接続されるとともに、Ａ／Ｄ変換器７１、演算部としてのＣＰＵ７２、第１の記録部としてのＲＯＭ７３、第２の記録部としてのＲＡＭ７４、計数装置としてのドラム回転数カウンタ７５等を備え、各種のデータに従ってコンピュータとして機能し、ホストコンピュータからデータを受信し、画像処理等を行う。
【００３１】
前記ＲＯＭ７３には、プリンタ１０の濃度補正を行うのに必要なデータ等のシステムプログラム８０を実行するのに必要な各種のデータ等が記録されるほかに、印刷中にドラム回転数カウンタ７５によって計数された感光体ドラム３１Ｂｋ、３１Ｙ、３１Ｍ、３１Ｃの回転数、すなわち、ドラム回転数等が記録される。前記ＲＡＭ７４はＣＰＵ７２のワーキングメモリとして使用され、各種のデータが記録される。また、ＣＰＵ７２はＲＯＭ７３内のシステムプログラム８０に基づいて、プリンタ１０の各部の制御を行い、シーケンスを実行するとともに、印刷中のドラム回転数等に基づいて濃度補正を行う。なお、前記ドラム回転数によって、濃度補正を行うタイミングを設定するためのタイミング設定指標が構成される。また、本実施の形態においては、タイミング設定指標としてドラム回転数が使用されるようになっているが、例えば、タイミング設定指標として設定カウント値を使用し、計数装置としての図示されないカウンタによって計数されたカウント値が設定カウント値になったときを、濃度補正を行うタイミングとして設定することができる。
【００３２】
前記Ａ／Ｄ変換器７１は、反射型光センサ５２から出力された検出信号の電圧をアナログ／ディジタル変換し、変換後の値を実濃度値として前記ＣＰＵ７２に送る。
【００３３】
図５は本発明の第１の実施の形態における濃度補正を説明する図である。なお、図５において、横軸にデューティを、縦軸に濃度を採ってある。
【００３４】
図において、Ｌ１は理想濃度値を表す理想濃度曲線、Ｌ２は実濃度値の例を表す実濃度曲線、Ｌ３は実濃度値が理想濃度値になるように算出された補正濃度値の例を表す補正濃度曲線である。前記濃度検出画像６０〜６２の濃度による実濃度値が実濃度曲線Ｌ２で表される値を採ると、補正濃度曲線Ｌ３で表される補正濃度値で、トナー層の厚さ等が制御され、濃度補正が行なわれる。
【００３５】
次に、該濃度補正を行う際の制御部７０の動作について説明する。
【００３６】
図６は本発明の第１の実施の形態における制御部の動作を示す第１のフローチャート、図７は本発明の第１の実施の形態における制御部の動作を示す第２のフローチャートである。
【００３７】
まず、印刷データを受信すると、ＣＰＵ７２（図４）の図示されないシャッタ機構開閉処理手段は、シャッタ機構開閉処理を行い、シャッタ機構５１（図１）を開放し、ＣＰＵ７２の図示されない濃度検出画像形成処理手段は、濃度検出画像形成処理を行い、各画像形成部３０Ｂｋ、３０Ｙ、３０Ｍ、３０Ｃによって搬送ベルト２１上の一方の縁部に濃度検出画像６０〜６２を形成する。そして、前記反射型光センサ５２が前記濃度検出画像６０〜６２の濃度を検出し、Ａ／Ｄ変換器７１が反射型光センサ５２の検出信号をアナログ／ディジタル変換し、実濃度値を生成すると、前記ＣＰＵ７２は実濃度値を読み込み、該実濃度値を基準値としてＲＡＭ７４に記録する。続いて、前記シャッタ機構開閉処理手段はシャッタ機構５１を閉鎖する。
【００３８】
その後、記録媒体１３が給紙され、ＣＰＵ７２の図示されない印刷処理手段は、印刷処理を行い、印刷を開始し、ＣＰＵ７２の図示されない回転数判定処理手段は、回転数判定処理を行い、ドラム回転数カウンタ７５によって計数されたドラム回転数が設定値を超えたかどうかを判断し、設定値を超えた場合、前記シャッタ機構開閉処理手段はシャッタ機構５１を開放し、これに伴って、ＣＰＵ７２の図示されない初期化処理手段は、初期化処理を行い、ドラム回転数を初期化する。
【００３９】
続いて、前記濃度検出画像形成処理手段は、各画像形成部３０Ｂｋ、３０Ｙ、３０Ｍ、３０Ｃによって搬送ベルト２１上の一方の縁部に濃度検出画像６０〜６２を形成する。そして、前記反射型光センサ５２が前記濃度検出画像６０〜６２の濃度を検出し、Ａ／Ｄ変換器７１が反射型光センサ５２の検出信号をアナログ／ディジタル変換し、実濃度値を生成すると、前記ＣＰＵ７２の図示されない補正濃度値算出処理手段は、補正濃度値算出処理を行い、実濃度値及び基準値を読み込み、該実濃度値及び基準値に基づいて補正濃度値を算出する。次に、ＣＰＵ７２の図示されない補正判定処理手段は、補正判定処理を行い、補正濃度値が設定範囲に収まるかどうかを判断し、設定範囲に収まらない場合、ＣＰＵ７２の図示されない濃度補正処理手段は、濃度補正処理を行い、前記補正濃度値に基づいて濃度補正を行う。以上の動作を印刷が終了するまで行う。
【００４０】
このように、本実施の形態においては、搬送ベルト２１上の一方の縁部に濃度検出画像６０〜６２が形成され、ドラム回転数に基づいて濃度補正が行なわれるので、記録媒体１３として連続紙を使用する場合でも、印刷中に十分に濃度補正を行うことができる。したがって、カラー画像に色味の違い等が現われることがなくなり、画像品位を向上させることができる。
【００４１】
次に、フローチャートについて説明する。
ステップＳ１  印刷データを受信する。
ステップＳ２  シャッタ機構５１を開放する。
ステップＳ３  濃度検出画像６０〜６２を形成する。
ステップＳ４  濃度検出画像６０〜６２の濃度を検出する。
ステップＳ５  実濃度値を基準値として記録する。
ステップＳ６  印刷を開始する。
ステップＳ７  ドラム回転数が設定値を超えるのを待機し、ドラム回転数が設定値を超えるとステップＳ８に進む。
ステップＳ８  シャッタ機構５１を開放し、ドラム回転数を初期化する。
ステップＳ９  濃度検出画像６０〜６２を形成する。
ステップＳ１０  濃度検出画像６０〜６２の濃度を検出する。
ステップＳ１１  補正濃度値を算出する。
ステップＳ１２  補正濃度値が設定範囲に収まるかどうかを判断する。補正濃度値が設定範囲に収まる場合はステップＳ１４に、設定範囲に収まらない場合はステップＳ１３に進む。
ステップＳ１３  濃度補正を行う。
ステップＳ１４  印刷が終了したかどうかを判断する。印刷が終了した場合は処理を終了し、終了していない場合はステップＳ７に戻る。
【００４２】
次に、本発明の第２の実施の形態について説明する。なお、第１の実施の形態と同じ構造を有するものについては、同じ符号を付与することによってその説明を省略し、同じ構造を有することによる効果については同実施の形態の効果を援用する。
【００４３】
図８は本発明の第２の実施の形態における画像濃度検出部及び制御部のブロック図である。
【００４４】
この場合、前記制御部７０に寿命検出部としてのドラム回転数カウンタ７７が配設される。該ドラム回転数カウンタ７７は、ドラム回転数カウンタ７５とは別に画像形成部３０Ｂｋ（図１）、３０Ｙ、３０Ｍ、３０Ｃのドラム回転数を計数し、操作者が画像形成部３０Ｂｋ、３０Ｙ、３０Ｍ、３０Ｃを交換したときに、例えば、新しい画像形成部３０Ｂｋ、３０Ｙ、３０Ｍ、３０Ｃに配設されたヒューズが切断されることによって画像形成部３０Ｂｋ、３０Ｙ、３０Ｍ、３０Ｃの交換を検出し、ドラム回転数を初期化する。なお、ドラム回転数カウンタ７５によって第１の計数装置が、ドラム回転数カウンタ７７によって第２の計数装置が構成される。
【００４５】
次に、前記濃度補正を行う際の制御部７０の動作について説明する。
【００４６】
図９は本発明の第２の実施の形態における制御部の動作を示す第１のフローチャート、図１０は本発明の第２の実施の形態における制御部の動作を示す第２のフローチャートである。
【００４７】
なお、本実施の形態において、記録媒体１３は連続紙であり、数百フィートにわたって印刷可能である。
【００４８】
まず、印刷データを受信すると、演算部としてのＣＰＵ７２の前記シャッタ機構開閉処理手段は、シャッタ機構５１を開放し、ＣＰＵ７２の前記濃度検出画像形成処理手段は、各画像形成部３０Ｂｋ、３０Ｙ、３０Ｍ、３０Ｃによって搬送部材としての搬送ベルト２１上の一方の縁部に濃度検出画像６０〜６２を形成する。そして、前記画像濃度検出センサとしての反射型光センサ５２が前記濃度検出画像６０〜６２の濃度を検出し、Ａ／Ｄ変換器７１が反射型光センサ５２の検出信号をアナログ／ディジタル変換し、実濃度値を生成すると、前記ＣＰＵ７２は実濃度値を読み込み、該実濃度値を基準値として第２の記録部としてのＲＡＭ７４に記録する。続いて、前記シャッタ機構開閉処理手段はシャッタ機構５１を閉鎖する。
【００４９】
その後、記録媒体１３が給紙され、ＣＰＵ７２の前記印刷処理手段は、印刷を開始し、ＣＰＵ７２の前記回転数判定処理手段は、ドラム回転数カウンタ７５によって計数されたドラム回転数が設定値を超えたかどうかを判断し、設定値を超えた場合、前記シャッタ機構開閉処理手段はシャッタ機構５１を開放し、これに伴って、ＣＰＵ７２の前記初期化処理手段は、ドラム回転数カウンタ７５のドラム回転数を初期化する。
【００５０】
続いて、前記濃度検出画像形成処理手段は、各画像形成部３０Ｂｋ、３０Ｙ、３０Ｍ、３０Ｃによって搬送ベルト２１上の一方の縁部に濃度検出画像６０〜６２を形成する。そして、前記反射型光センサ５２が前記濃度検出画像６０〜６２の濃度を検出し、Ａ／Ｄ変換器７１が反射型光センサ５２の検出信号をアナログ／ディジタル変換し、実濃度値を生成すると、前記ＣＰＵ７２の前記補正濃度算出処理手段は、実濃度値及び基準値を読み込み、該実濃度値及び基準値に基づいて補正濃度値を算出する。次に、ＣＰＵ７２の前記補正判定処理手段は、補正濃度値が設定範囲に収まるかどうかを判断し、設定範囲に収まらない場合、ＣＰＵ７２の前記濃度補正処理手段は、前記補正濃度値に基づいて濃度補正を行う。
【００５１】
続いて、前記ＣＰＵ７２の図示されない寿命判定処理手段は、ドラム回転数カウンタ７７によって計数されたドラム回転数が設定値を超えたかどうかによって、各感光体ドラム３１Ｂｋ、３１Ｙ、３１Ｍ、３１Ｃが寿命である、すなわち、各画像形成部３０Ｂｋ、３０Ｙ、３０Ｍ、３０Ｃが寿命であるかどうかを判断し、ドラム回転数カウンタ７７のドラム回転数が設定値を超え、各画像形成部３０Ｂｋ、３０Ｙ、３０Ｍ、３０Ｃが寿命である場合、前記シャッタ機構開閉処理手段はシャッタ機構５１を開放する。
【００５２】
次に、前記濃度検出画像形成処理手段は、各画像形成部３０Ｂｋ、３０Ｙ、３０Ｍ、３０Ｃによって搬送ベルト２１上の一方の縁部に濃度検出画像６０〜６２を形成する。そして、前記反射型光センサ５２が前記濃度検出画像６０〜６２の濃度を検出し、Ａ／Ｄ変換器７１が反射型光センサ５２の検出信号をアナログ／ディジタル変換し、実濃度値を生成すると、前記ＣＰＵ７２の図示されない比較処理手段は、比較処理を行い、実濃度値を読み込み、該実濃度値と基準値とを比較し、実濃度値と基準値との差が、閾値より大きいかどうかによって顕著であるかどうかを判断する。前記差が、閾値より大きく、顕著である場合、ＣＰＵ７２の図示されない警報処理手段は、警報処理を行い、アラームを表示することによって操作者に通知し、ＣＰＵ７２の図示されない印刷停止処理手段は、印刷停止処理を行い、印刷を停止させる。また、前記差が、閾値以下であり、顕著ではない場合、前記ＣＰＵ７２の前記補正濃度算出処理手段は、前記実濃度値及び基準値に基づいて補正濃度値を算出し、ＣＰＵ７２の前記補正判定処理手段は、補正濃度値が設定範囲に収まるかどうかを判断し、設定範囲に収まらない場合、ＣＰＵ７２の前記濃度補正処理手段は、前記補正濃度値に基づいて濃度補正を行う。以上の動作を印刷が終了するまで行う。
【００５３】
このように、本実施の形態においては、搬送ベルト２１上の一方の縁部に濃度検出画像６０〜６２が形成され、ドラム回転数に基づいて濃度補正が行なわれるので、記録媒体１３として連続紙を使用する場合でも、印刷中に十分に濃度補正を行うことができる。したがって、カラー画像に色味の違い等が現われることがなくなり、画像品位を向上させることができる。
【００５４】
また、消耗品である各画像形成部３０Ｂｋ、３０Ｙ、３０Ｍ、３０Ｃが寿命になり、実濃度値と基準値との差が顕著である場合、印刷が中止されるので、記録媒体１３が無駄に使用されるのを防止することができる。
【００５５】
次に、フローチャートについて説明する。
ステップＳ２１  印刷データを受信する。
ステップＳ２２  シャッタ機構５１を開放する。
ステップＳ２３  濃度検出画像６０〜６２を形成する。
ステップＳ２４  濃度検出画像６０〜６２の濃度を検出する。
ステップＳ２５  実濃度値を基準値として記録する。
ステップＳ２６  印刷を開始する。
ステップＳ２７  ドラム回転数が設定値を超えるのを待機し、ドラム回転数が設定値を超えるとステップＳ２８に進む。
ステップＳ２８  シャッタ機構５１を開放し、ドラム回転数を初期化する。
ステップＳ２９  濃度検出画像６０〜６２を形成する。
ステップＳ３０  濃度検出画像６０〜６２の濃度を検出する。
ステップＳ３１  補正濃度値を算出する。
ステップＳ３２  補正濃度値が設定範囲に収まるかどうかを判断する。補正濃度値が設定範囲に収まる場合はステップＳ３４に、設定範囲に収まらない場合はステップＳ３３に進む。
ステップＳ３３  濃度補正を行う。
ステップＳ３４  画像形成部３０Ｂｋ、３０Ｙ、３０Ｍ、３０Ｃが寿命であるかどうかを判断する。画像形成部３０Ｂｋ、３０Ｙ、３０Ｍ、３０Ｃが寿命である場合はステップＳ３５に、寿命でない場合はステップＳ４３に進む。
ステップＳ３５  シャッタ機構５１を開放する。
ステップＳ３６  濃度検出画像６０〜６２を形成する。
ステップＳ３７  濃度検出画像６０〜６２の濃度を検出する。
ステップＳ３８  補正濃度値を算出する。
ステップＳ３９  差が顕著であるかどうかを判断する。差が顕著である場合はステップＳ４０に、顕著でない場合はステップＳ４１に進む。
ステップＳ４０  印刷を停止する。
ステップＳ４１  補正濃度値が設定範囲に収まるかどうかを判断する。補正濃度値が設定範囲に収まる場合はステップＳ４３に、設定範囲に収まらない場合はステップＳ４２に進む。
ステップＳ４２  濃度補正を行う。
ステップＳ４３  印刷が終了したかどうかを判断する。印刷が終了した場合は処理を終了し、終了していない場合はステップＳ２７に戻る。
【００５６】
次に、本発明の第３の実施の形態について説明する。なお、第１の実施の形態と同じ構造を有するものについては、同じ符号を付与することによってその説明を省略し、同じ構造を有することによる効果については同実施の形態の効果を援用する。
【００５７】
図１１は本発明の第３の実施の形態における濃度検出画像と記録媒体との関係を示す図、図１２は本発明の第３の実施の形態における反射型光センサの配設位置を示す図、図１３は本発明の第３の実施の形態における画像濃度検出部及び制御部のブロック図である。
【００５８】
この場合、第１、第２の画像濃度検出部が、搬送部材としての搬送ベルト２１上の記録媒体１３の幅方向における領域外、本実施の形態においては、搬送ベルト２１の両方の縁部の下方の所定の箇所に配設され、各第１、第２の画像濃度検出部は第１、第２の画像濃度検出センサとしての反射型光センサ５２ａ、５２ｂを備える。該各反射型光センサ５２ａ、５２ｂは、図１１及び１２の矢印方向に走行させられる搬送ベルト２１を介して画像形成部３０Ｂｋ、３０Ｙ、３０Ｍ、３０Ｃと対向させて配設される。本実施の形態において、記録媒体１３の搬送方向（矢印方向）に対して、前記反射型光センサ５２ａは左側に、反射型光センサ５２ｂは右側に配設される。
【００５９】
また、各濃度検出画像６０ａ〜６２ａ、６０ｂ〜６２ｂは、それぞれ、所定の形状、例えば、正方形の形状を有し、搬送ベルト２１上の記録媒体１３の幅方向における領域外、本実施の形態においては、搬送ベルト２１上の両方の縁部において、長さ方向に所定のピッチで形成される。
【００６０】
７８は、Ａ／Ｄ変換器７１から出力された実濃度値を、加算及び除算して平均化処理を行う平均化処理部である。したがって、前記各反射型光センサ５２ａ、５２ｂが前記各濃度検出画像６０ａ〜６２ａ、６０ｂ〜６２ｂの濃度を検出し、Ａ／Ｄ変換器７１が各反射型光センサ５２ａ、５２ｂの検出信号をアナログ／ディジタル変換し、実濃度値を生成すると、前記平均化処理部７８は、平均化処理を行い、前記各実濃度値を加算及び除算して平均化された実濃度値、すなわち、平均実濃度値を算出し、該平均実濃度値を演算部としてのＣＰＵ７２に送る。
【００６１】
次に、前記濃度補正を行う際の制御部７０の動作について説明する。
【００６２】
図１４は本発明の第３の実施の形態における制御部の動作を示す第１のフローチャート、図１５は本発明の第３の実施の形態における制御部の動作を示す第２のフローチャートである。
【００６３】
なお、本実施の形態において、前記記録媒体１３は連続紙であり、数百フィートにわたって印刷可能である。
【００６４】
まず、印刷データを受信すると、ＣＰＵ７２の前記シャッタ機構開閉処理手段は、シャッタ機構５１を開放し、ＣＰＵ７２の前記濃度検出画像形成処理手段は、各画像形成部３０Ｂｋ、３０Ｙ、３０Ｍ、３０Ｃによって搬送ベルト２１上の両方の縁部に濃度検出画像６０ａ〜６２ａ、６０ｂ〜６２ｂを形成する。そして、前記各反射型光センサ５２ａ、５２ｂが前記濃度検出画像６０ａ〜６２ａ、６０ｂ〜６２ｂの濃度を検出し、Ａ／Ｄ変換器７１が反射型光センサ５２ａ、５２ｂの検出信号をアナログ／ディジタル変換し、実濃度値を生成し、前記平均化処理部７８が、平均化処理を行い、平均実濃度値を算出すると、ＣＰＵ７２は平均実濃度値を読み込み、該平均実濃度値を基準値として第２の記録部としてのＲＡＭ７４に記録する。続いて、前記シャッタ機構開閉処理手段はシャッタ機構５１を閉鎖する。
【００６５】
その後、記録媒体１３が給紙され、ＣＰＵ７２の前記印刷処理手段は、印刷を開始し、ＣＰＵ７２の前記回転数判定処理手段は、ドラム回転数カウンタ７５によって計数されたドラム回転数が設定値を超えたかどうかを判断し、設定値を超えた場合、前記シャッタ機構開閉処理手段はシャッタ機構５１を開放し、これに伴って、ＣＰＵ７２の前記初期化処理手段は、ドラム回転数カウンタ７５のドラム回転数を初期化する。
【００６６】
続いて、前記濃度検出画像形成処理手段は、各画像形成部３０Ｂｋ、３０Ｙ、３０Ｍ、３０Ｃによって搬送ベルト２１上の両方の縁部に濃度検出画像６０ａ〜６２ａ、６０ｂ〜６２ｂを形成する。そして、前記各反射型光センサ５２ａ、５２ｂが前記濃度検出画像６０ａ〜６２ａ、６０ｂ〜６２ｂの濃度を検出し、Ａ／Ｄ変換器７１が反射型光センサ５２ａ、５２ｂの検出信号をアナログ／ディジタル変換し、実濃度値を生成し、前記平均化処理部７８が、平均化処理を行い、平均実濃度値を算出すると、前記ＣＰＵ７２の前記補正濃度算出処理手段は、平均実濃度値及び基準値を読み込み、該平均実濃度値及び基準値に基づいて補正濃度値を算出する。次に、ＣＰＵ７２の前記補正判定処理手段は、補正濃度値が設定範囲に収まるかどうかを判断し、設定範囲に収まらない場合、ＣＰＵ７２の前記濃度補正処理手段は、前記補正濃度値に基づいて濃度補正を行う。以上の動作を印刷が終了するまで行う。
【００６７】
このように、本実施の形態においては、搬送ベルト２１上の両方の縁部に濃度検出画像６０ａ〜６２ａ、６０ｂ〜６２ｂが形成され、実濃度値が平均化され、平均実濃度値に基づいて濃度補正が行われるので、濃度補正の精度を高くすることができる。
【００６８】
次に、フローチャートについて説明する。
ステップＳ５１  印刷データを受信する。
ステップＳ５２  シャッタ機構５１を開放する。
ステップＳ５３  濃度検出画像６０ａ〜６２ａ、６０ｂ〜６２ｂを形成する。
ステップＳ５４  濃度検出画像６０ａ〜６２ａ、６０ｂ〜６２ｂの濃度を検出する。
ステップＳ５５  平均化処理を行う。
ステップＳ５６  実濃度値を基準値として記録する。
ステップＳ５７  印刷を開始する。
ステップＳ５８  ドラム回転数が設定値を超えるのを待機し、ドラム回転数が設定値を超えるとステップＳ５９に進む。
ステップＳ５９  シャッタ機構５１を開放し、ドラム回転数を初期化する。
ステップＳ６０  濃度検出画像６０ａ〜６２ａ、６０ｂ〜６２ｂを形成する。
ステップＳ６１  濃度検出画像６０ａ〜６２ａ、６０ｂ〜６２ｂの濃度を検出する。
ステップＳ６２  平均化処理を行う。
ステップＳ６３  補正濃度値を算出する。
ステップＳ６４  補正濃度値が設定範囲に収まるかどうかを判断する。補正濃度値が設定範囲に収まる場合はステップＳ６６に、設定範囲に収まらない場合はステップＳ６５に進む。
ステップＳ６５  濃度補正を行う。
ステップＳ６６  印刷が終了したかどうかを判断する。印刷が終了した場合は処理を終了し、終了していない場合はステップＳ５８に戻る。
【００６９】
なお、各実施の形態において、記録媒体１３として連続紙を使用する場合について説明したが、記録媒体１３としてカット紙を使用する場合にも、本発明を適用することができる。また、各実施の形態において、カラーのプリンタについて説明したが、本発明を単色のプリンタに適用することもできる。
【００７０】
なお、本発明は前記実施の形態に限定されるものではなく、本発明の趣旨に基づいて種々変形させることが可能であり、それらを本発明の範囲から排除するものではない。
【図面の簡単な説明】
【００７１】
【図１】本発明の第１の実施の形態における濃度検出画像と記録媒体との関係を示す図である。
【図２】本発明の第１の実施の形態におけるプリンタの概略図である。
【図３】本発明の第１の実施の形態における反射型光センサの配設位置を示す図である。
【図４】本発明の第１の実施の形態における画像濃度検出部及び制御部のブロック図である。
【図５】本発明の第１の実施の形態における濃度補正を説明する図である。
【図６】本発明の第１の実施の形態における制御部の動作を示す第１のフローチャートである。
【図７】本発明の第１の実施の形態における制御部の動作を示す第２のフローチャートである。
【図８】本発明の第２の実施の形態における画像濃度検出部及び制御部のブロック図である。
【図９】本発明の第２の実施の形態における制御部の動作を示す第１のフローチャートである。
【図１０】本発明の第２の実施の形態における制御部の動作を示す第２のフローチャートである。
【図１１】本発明の第３の実施の形態における濃度検出画像と記録媒体との関係を示す図である。
【図１２】本発明の第３の実施の形態における反射型光センサの配設位置を示す図である。
【図１３】本発明の第３の実施の形態における画像濃度検出部及び制御部のブロック図である。
【図１４】本発明の第３の実施の形態における制御部の動作を示す第１のフローチャートである。
【図１５】本発明の第３の実施の形態における制御部の動作を示す第２のフローチャートである。
【符号の説明】
【００７２】
１０    プリンタ
１３    記録媒体
２１    搬送ベルト
３０Ｂｋ、３０Ｙ、３０Ｍ、３０Ｃ    画像形成部
６０〜６２、６０ａ〜６２ａ、６０ｂ〜６２ｂ    濃度検出画像
７２    ＣＰＵ
【図１】
2006227336.tif 000003
【図２】
2006227336.tif 000004
【図３】
2006227336.tif 000005
【図４】
2006227336.tif 000006
【図５】
2006227336.tif 000007
【図６】
2006227336.tif 000008
【図７】
2006227336.tif 000009
【図８】
2006227336.tif 000010
【図９】
2006227336.tif 000011
【図１０】
2006227336.tif 000012
【図１１】
2006227336.tif 000013
【図１２】
2006227336.tif 000014
【図１３】
2006227336.tif 000015
【図１４】
2006227336.tif 000016
【図１５】
2006227336.tif 000017